(57)【要約】【課題】レンズ駆動装置において、薄型化、消費電力の低減、制御時間の短縮化、制御シーケンスの簡素化等を図る。【解決手段】変倍レンズ光学系４０，５０、合焦レンズ光学系６０、変倍レンズ光学系を駆動する第１駆動機構７０、合焦レンズ光学系を駆動する第２駆動機構８０等を備える構成において、非撮影時に沈胴させる際に、第１駆動機構７０により沈胴させられる前方側のレンズ光学系（第２レンズ群５０）が、後方側のレンズ光学系（第３レンズ群６０）を押し込んで沈胴位置に位置付けるようにした。これにより、装置を薄型化でき、又、沈胴動作の際に第２駆動機構を駆動させないためその分だけ消費電力を低減でき、その駆動制御が不要であるため、全体として制御時間を短縮でき、制御シーケンスも簡素化できる。【選択図】  図３
2005043730.tif 000002
【特許請求の範囲】
【請求項１】
光軸方向に配列された複数のレンズ光学系と、前記複数のレンズ光学系を光軸方向に駆動する駆動機構とを備え、前記複数のレンズ光学系を、沈胴位置と撮影位置との間で移動させるレンズ駆動装置であって、
前記複数のレンズ光学系は、沈胴時に、前記駆動機構により沈胴させられる前方側のレンズ光学系が後方側のレンズ光学系を押し込んで沈胴位置に位置付けるように、形成されている、ことを特徴とするレンズ駆動装置。
【請求項２】
前記複数のレンズ光学系は、変倍レンズ光学系と、前記変倍レンズ光学系よりも後方側に配置された合焦レンズ光学系と、を含み、
前記駆動機構は、前記変倍レンズ光学系を駆動する第１駆動機構と、前記合焦レンズ光学系を駆動する第２駆動機構と、を含み、
前記変倍レンズ光学系は、沈胴時に、前記合焦レンズ光学系に当接して沈胴位置まで押し込む当接部、を有し、
前記合焦レンズ光学系は、前記当接部の押し込み動作に伴なって移動するように形成されている、
ことを特徴とする請求項１記載のレンズ駆動装置。
【請求項３】
前記第２駆動機構は、光軸方向に伸長するリードスクリューと、前記リードスクリューに螺合するナットと、前記合焦レンズ光学系を繰り出し方向に向けて付勢するバネと、を含み、
前記合焦レンズ光学系は、前記ナットに対して離脱可能に後方から当接すると共に前記ナットの回転を規制するように形成されたナット受け部、を有する、
ことを特徴とする請求項２記載のレンズ駆動装置。
【請求項４】
前記変倍レンズ光学系は、光軸方向において前方側から後方側に向けて順に配列された第１レンズ群及び第２レンズ群、を含み、
前記合焦レンズ光学系は、前記第２レンズ群の後方に配置された第３レンズ群、を含む、ことを特徴とする請求項２又は３に記載のレンズ駆動装置。
【請求項５】
前記第２レンズ群は、レンズを保持するレンズ枠と、前記レンズ枠の前方側において光軸方向に可動に支持されかつ常時前方側に向けて繰り出すように付勢された光量を調整する光量調整ユニットと、を含み、
前記第１レンズ群は、沈胴時に、前記光量調整ユニットに当接して押し込む当接部、を有する、
ことを特徴とする請求項４記載のレンズ駆動装置。
【請求項６】
光軸方向に配列された複数のレンズ群と、前記レンズ群を光軸方向に駆動する駆動機構とを備え、前記複数のレンズ群を、沈胴位置と撮影位置との間で移動させるレンズ駆動装置であって、
前記複数のレンズ群は、沈胴時に、前方側のレンズ群が後方側のレンズ群の一部を押し込むように、形成されている、ことを特徴とするレンズ駆動装置。
【請求項７】
前記後方側のレンズ群は、レンズを保持するレンズ枠と、前記レンズ枠の前方側において光軸方向に可動に支持されかつ常時前方側に向けて繰り出すように付勢された光量を調整する光量調整ユニットと、を含み、
前記前方側のレンズ群は、沈胴時に、前記光量調整ユニットに当接して押し込む当接部、を有する、ことを特徴とする請求項６記載のレンズ駆動装置。
【発明の詳細な説明】
【技術分野】
【０００１】
本発明は、デジタルカメラ、銀塩フィルム式カメラ等に搭載されるレンズ駆動装置に関し、特に、変倍撮影が可能な複数のレンズ光学系（レンズ群）を撮影時に沈胴位置から繰り出させるレンズ駆動装置に関する。
【背景技術】
【０００２】
変倍撮影が行なえるカメラ用のレンズ駆動装置としては、第１レンズ群及び第２レンズ群からなる変倍レンズ光学系、変倍レンズ光学系を駆動する第１の駆動源、変倍レンズ光学系の後方に配置され第３レンズ群からなる合焦レンズ光学系、合焦レンズ光学系を駆動する第２の駆動源等を備えたものが知られている。
【０００３】
このレンズ駆動装置においては、撮影時に、両方の駆動源（例えば、ＤＣモータとステップモータ）をそれそれ駆動させて、変倍レンズ光学系及び合焦レンズ光学系をそれぞれ繰り出させて、所望の変倍位置及び合焦位置に位置付け、一方、非撮影時に、両方の駆動源をそれぞれ駆動させて、変倍レンズ光学系及び合焦レンズ光学系をそれぞれ繰り込ませて、所定の沈胴位置に位置付けるようになっている（例えば、特許文献１、特許文献２参照）。
【特許文献１】特開２００３−０５７７０５号公報
【特許文献２】特開２００３−０５７５２２号公報
【発明の開示】
【発明が解決しようとする課題】
【０００４】
ところで、上記のレンズ駆動装置においては、変倍レンズ光学系と合焦レンズ光学系とを沈胴させる場合、それぞれの駆動源を共に駆動させて行なっていたため、電力の消費量が大きくなるという問題があった。
また、沈胴時には、先ず後方にある合焦レンズ光学系に沈胴動作を行なわせ、続いて、前方にある変倍レンズ光学系に沈胴動作を行なわせるように駆動制御する必要があり、全体の沈胴動作を完了させるまでの制御時間が長くなるという問題があった。
一方、非撮影時に、変倍レンズ光学系のみ沈胴させる場合は、合焦レンズ光学系が沈胴しない分だけ、光軸方向における装置の寸法が大きくなるという問題があった。
【０００５】
本発明は、上記の点に鑑みて成されたものであり、その目的とするところは、構造の簡略化、小型化、沈胴時における薄型化、消費電力の低減、繰り出し動作及び沈胴動作に要する制御時間の短縮化、制御シーケンスの簡素化等を図れるレンズ駆動装置を提供することにある。
【課題を解決するための手段】
【０００６】
本発明のレンズ駆動装置は、光軸方向に配列された複数のレンズ光学系と、複数のレンズ光学系を光軸方向に駆動する駆動機構とを備え、複数のレンズ光学系を、沈胴位置と撮影位置との間で移動させるレンズ駆動装置であって、上記複数のレンズ光学系は、沈胴時に、駆動機構により沈胴させられる前方側のレンズ光学系が後方側のレンズ光学系を押し込んで沈胴位置に位置付けるように形成されている、ことを特徴としている。
この構成によれば、非撮影（沈胴）時には、駆動機構が前方側にあるレンズ光学系を沈胴させると、この前方側のレンズ光学系が後方側にあるレンズ光学系を押し込んで沈胴位置に位置付ける。したがって、沈胴時において装置を薄型化でき、又、後方側のレンズ光学系を沈胴させるために専用の駆動機構を駆動する必要がないためその分だけ消費電力を低減できる。さらに、後方側の駆動制御が不要であるため、制御時間を短縮でき、制御シーケンスも簡素化できる。
【０００７】
上記構成において、複数のレンズ光学系は、変倍レンズ光学系と、変倍レンズ光学系よりも後方側に配置された合焦レンズ光学系とを含み、駆動機構は、変倍レンズ光学系を駆動する第１駆動機構と、合焦レンズ光学系を駆動する第２駆動機構とを含み、変倍レンズ光学系は、沈胴時に、合焦レンズ光学系に当接して沈胴位置まで押し込む当接部を有し、合焦レンズ光学系は、当接部の押し込み動作に伴なって移動するように形成されている、構成を採用できる。
この構成によれば、撮影時には、第１駆動機構により変倍レンズ光学系が繰り出され、第２駆動機構による駆動及び当接部の押し込み解除により合焦レンズ光学系が繰り出される。一方、非撮影（沈胴）時には、第１駆動機構により変倍レンズ光学系が沈胴させられると、その当接部が合焦レンズ光学系に当接して、合焦レンズ光学系を沈胴位置まで押し込む。このように、変倍レンズ光学系の当接部による押し込み動作により、合焦レンズ光学系を沈胴させることができるため、簡略な構造にて確実に沈胴動作を行なわせることができる。
【０００８】
上記構成において、第２駆動機構は、光軸方向に伸長するリードスクリューと、リードスクリューに螺合するナットと、合焦レンズ光学系を繰り出し方向に向けて付勢するバネとを含み、合焦レンズ光学系は、ナットに対して離脱可能に後方から当接すると共にナットの回転を規制するように形成されたナット受け部を有する、構成を採用できる。
この構成によれば、撮影時には、リードスクリューによりナットが繰り出し方向に移動することで、合焦レンズ光学系は、バネの付勢力によりナットに追従して繰り出される。一方、非撮影（沈胴）時には、変倍レンズ光学系の当接部が合焦レンズ光学系に当接してこれを押し込むと、ナット受け部がナットから離脱して、合焦レンズ光学系は沈胴位置に位置付けられる。このように、簡単な構造にて、合焦レンズ光学系の沈胴動作を可能にすることができる。
【０００９】
上記構成において、変倍レンズ光学系は、光軸方向において前方側から後方側に向けて順に配列された第１レンズ群及び第２レンズ群を含み、合焦レンズ光学系は、第２レンズ群の後方に配置された第３レンズ群を含む、構成を採用できる。
この構成によれば、第１レンズ群及び第２レンズ群と第３レンズ群を含むレンズ光学系を備えた装置において、沈胴時における低消費電力化、薄型化等を達成できる。
【００１０】
上記構成において、第２レンズ群は、レンズを保持するレンズ枠と、レンズ枠の前方側において光軸方向に可動に支持されかつ常時前方側に向けて繰り出すように付勢された光量を調整する光量調整ユニットとを含み、第１レンズ群は、沈胴時に、光量調整ユニットに当接してこれを押し込む当接部を有する、構成を採用できる。
この構成によれば、非撮影（沈胴）時には、変倍レンズ光学系による合焦レンズ光学系の押し込み動作に加えて、変倍レンズ光学系の中でさらに、第１レンズ群が沈胴する際に第２レンズ群の光量調整ユニットを後方に押し込むため、その分だけさらに光軸方向の寸法を短くすなわち装置を薄型化できる。
【００１１】
また、本発明のレンズ駆動装置は、光軸方向に配列された複数のレンズ群と、レンズ群を光軸方向に駆動する駆動機構とを備え、複数のレンズ群を、沈胴位置と撮影位置との間で移動させるレンズ駆動装置であって、上記複数のレンズ群は、沈胴時に、前方側のレンズ群が後方側のレンズ群の一部を押し込むように形成されている、ことを特徴としている。
この構成によれば、非撮影（沈胴）時にレンズ群に沈胴動作を行なわせると、前方側にあるレンズ群が後方側にあるレンズ群の一部を相対的に後方に向けて押し込むため、その押し込み分だけ装置を薄型化できる。
【００１２】
上記構成において、後方側のレンズ群は、レンズを保持するレンズ枠と、レンズ枠の前方側において光軸方向に可動に支持されかつ常時前方側に向けて繰り出すように付勢された光量を調整する光量調整ユニットとを含み、前方側のレンズ群は、沈胴時に、光量調整ユニットに当接してこれを押し込む当接部を有する、構成を採用できる。
この構成によれば、非撮影（沈胴）時にレンズ群に沈胴動作を行なわせると、前方側にあるレンズ群が後方側にあるレンズ群の光量調整ユニットをレンズ枠に対してより接近するように後方に押し込む。これにより、第２レンズ群の厚みが薄くなり、その分だけ装置を薄型化できる。
【発明の効果】
【００１３】
以上述べたように、本発明のレンズ駆動装置によれば、複数のレンズ光学系（レンズ群）、駆動機構等を備える構成において、非撮影（沈胴）時に駆動機構により沈胴させられる前方側のレンズ光学系（レンズ群）が後方側のレンズ光学系（レンズ群）を押し込んで沈胴位置に位置付けるようにしたことにより、沈胴時において装置を薄型化でき、又、後方側のレンズ光学系を沈胴させるために専用の駆動機構を駆動する必要がないためその分だけ消費電力を低減でき、さらに、後方側の駆動制御が不要であるため、制御時間を短縮でき、制御シーケンスも簡素化できる。
【発明を実施するための最良の形態】
【００１４】
以下、本発明の実施の形態について、添付図面を参照しつつ説明する。図１ないし図４は、本発明に係るレンズ駆動装置の一実施形態を示すものであり、図１は装置の正面図、図２ないし図４は装置の沈胴状態及び繰り出し状態を示す縦断面図である。
【００１５】
このレンズ駆動装置は、図１ないし図４に示すように、輪郭が略矩形形状で、フィルタ１１、撮像素子としてのＣＣＤ１２等が取り付けられるベース１０、ベース１０に固着される固定筒２０、固定筒２０の内側において回転及び直進自在に支持された円筒状のカム筒３０、カム筒３０の内側において、光軸方向Ｌに移動自在に支持された変倍レンズ光学系としての第１レンズ群４０及び第２レンズ群５０、ベース１０に支持されて光軸方向Ｌに移動自在に支持された合焦レンズ光学系としての第３レンズ群６０、変倍レンズ光学系を駆動する第１駆動機構７０、合焦レンズ光学系を駆動する第２駆動機構８０等を備えている。
【００１６】
カム筒３０は、図１ないし図４に示すように、外周面から径方向外側に突出して設けられた３個のフォロワーピン３１、光軸方向Ｌの後方領域外周面に形成された弧状の歯車部３２、内周面に形成されて第１レンズ群４０及び第２レンズ群５０にカム作用を及ぼすそれぞれ３本のカム溝３３，３４、内周面に回動自在に取り付けられて第１レンズ群４０及び第２レンズ群５０の回転を規制しつつ光軸方向Ｌへ案内するガイド筒３５等により構成されている。フォロワーピン３１は、固定筒２０の内周面に形成されたカム溝２１に挿入されており、カム筒３０は、回転させられると、光軸方向Ｌに往復動するようになっている。
【００１７】
第１レンズ群４０は、図２ないし図４に示すように、レンズＧ１を保持する円筒状のレンズ枠４１、レンズ枠４１の外周面から径方向外側に突出して設けられた３個のフォロワーピン４２等により形成されている。３個のフォロワーピン４２は、カム筒３０のカム溝３３に挿入されており、カム筒３０が回動すると、第１レンズ群４０は、その回転がガイド筒３５により規制されつつ、光軸方向Ｌにおいて前方に繰り出し又後方に沈胴する。
【００１８】
第２レンズ群５０は、図２ないし図４に示すように、第１レンズ群４０の後方に配置されており、レンズＧ２を保持するレンズ枠５１、レンズ枠５１から径方向外側に突出して設けられた３個のフォロワーピン５２、レンズ枠５１に保持されて露光用開口部を開閉して光量を調整するシャッタ機構からなる光量調整ユニット５３等により形成されている。３個のフォロワーピン５２は、カム筒３０のカム溝３４に挿入されており、カム筒３０が回動すると、第２レンズ群５０は、その回転がガイド筒３５により規制されつつ、光軸方向Ｌにおいて前方に繰り出し又後方に沈胴する。
【００１９】
レンズ枠５１には、図２ないし図４に示すように、後方に向けて突出し第３レンズ群６０に当接し得る当接部５１ａが一体的に形成されている。当接部５１ａは、非撮影時において、第２レンズ群５０が沈胴する際に、第３レンズ群６０を後方に押し込んで沈胴位置に位置付けるように、所定長さだけ後方に突出して形成されている。
【００２０】
第１駆動機構７０は、第１レンズ群４０及び第２レンズ群５０を光軸方向Ｌに相対的に移動させて変倍動作を行なわせるものであり、カム筒３０を回動させるべく、図１及び図２に示すように、ベース１０に固定されたＤＣモータ７１、その回転軸７１ａに固着されたウォームギヤ７２、ウォームギヤ７２と噛合するウォームホイール７３、ウォームホイール７３と同軸にて一体的に形成されたウォームギヤ７４、ウォームギヤ７４と噛合するウォームホイール７５、ウォームホイール７５と同軸にて一体的に形成された平歯車７６、カム筒３０の外周面に形成された歯車部３２と平歯車７６とに噛合する円柱状の平歯車７７等により形成されている。
【００２１】
すなわち、ＤＣモータ７１が一方向に回転すると、歯車列（７２〜７７）を介してカム筒３０が一方向に回転しつつ光軸方向Ｌの前方に繰り出され、第１レンズ群４０及び第２レンズ群５０が、カム溝３３，３４の作用により沈胴位置から光軸方向Ｌの前方に向けて繰り出されると共に適宜相互間の距離が調整されて、広角〜望遠の変倍動作が行なわれる。
一方、ＤＣモータ７１が逆回転すると、歯車列（７２〜７７）を介してカム筒３０が逆回転しつつ光軸方向Ｌの後方に向けて沈胴させられ、第１レンズ群４０及び第２レンズ群５０が、カム溝３３，３４の作用により繰り出し位置から光軸方向Ｌの後方に向けて繰り込まれ、所定の沈胴位置に位置付けられる。
【００２２】
第３レンズ群６０は、図２ないし図４に示すように、第２レンズ群５０の後方に配置されており、レンズＧ３を保持するレンズ枠６１、レンズ枠６１に一体的に形成されてベース１０に固定されたガイド軸１３，１４に外嵌されるガイド孔をもつ連結部６２，６３、後述するナット８３に対して離脱可能に後方から当接すると共にナット８３の回転を規制するナット受け部６４等により形成されている。そして、レンズ枠６１の前端部６１ａには、レンズ枠５１の当接部５１ａが当接し得るようになっている。
【００２３】
第２駆動機構８０は、第３レンズ群６０を光軸方向Ｌに移動させて、第１レンズ群４０及び第２レンズ群５０に対する合焦動作を行なわせるものであり、図１、図３、図４に示すように、ベース１０に固定されたステップモータ８１、ステップモータ８１に直結され光軸方向Ｌに伸長するリードスクリュー８２、リードスクリュー８２に螺合するナット８３、ベース１０とレンズ枠６１との間に圧縮した状態で配置されレンズ枠６１（第３レンズ群６０）を繰り出し方向（光軸方向Ｌの前方）に向けて付勢するコイル状のバネ８４等により形成されている。
【００２４】
すなわち、ステップモータ８１によりリードスクリュー８２が一方向に回転させられて、ナット８３が光軸方向Ｌの前方に移動すると、第６レンズ群６０は、バネ８４の付勢力により光軸方向Ｌの前方に向けて繰り出され、又、リードスクリュー８２が逆回転させられて、ナット８３が光軸方向Ｌの後方に移動すると、第６レンズ群６０は、バネ８４の付勢力に抗して光軸方向Ｌの後方に向けて繰り込まれ、第１レンズ群４０及び第２レンズ群５０の変倍位置に応じた合焦位置に位置付けられ、合焦動作が行なわれる。
【００２５】
次に、上記レンズ駆動装置の動作について、図２ないし図４を参照しつつ説明する。先ず、非撮影時には、図２及び図３に示すように、第１レンズ群４０及び第２レンズ群５０（変倍レンズ光学系）と第３レンズ群６０（合焦レンズ光学系）は、それぞれ沈胴位置に位置付けられている。
このとき、第２レンズ群５０の当接部５１ａは、第３レンズ群６０の前端部６１ａに当接して、第３レンズ群６０を光軸方向Ｌの後方に向けて所定量だけ押し込んで沈胴位置に位置付けている。この沈胴状態において、第３レンズ群６０は、レンズ枠６１がバネ８４を圧縮しつつ、ナット受け部６４が後方に移動してナット８３から離脱している。また、このとき、ナット８３は、当接部５１ａによる押し込みが解除されたときに、第３レンズ群６０を第１レンズ群４０及び第２レンズ群５０の広角端撮影位置に対応する合焦位置に停止させるように、所定の位置に位置決めされている。
【００２６】
撮影時には、ＤＣモータ７１が一方向に回転し、歯車列（７２〜７７）を介して、カム筒３０が一方向に回転しつつ繰り出される。そして、カム筒３０の回転により、カム溝３３，３４がフォロワーピン４２，５２にカム作用を及ぼし、第１レンズ群４０及び第２レンズ群５０は、沈胴位置から前方に繰り出されて広角端撮影位置に達する。
一方、第３レンズ群６０は、当接部５１ａが前方へ移動するのに伴なって、バネ８４の付勢力により前方に繰り出されて、広角端撮影位置に対応する合焦位置に達する。そして、この広角端撮影位置において、第２レンズ群５０の当接部５１ａは、第３レンズ群６０の前端部６１ａから離脱する。
【００２７】
そして、この広角端撮影位置から、ＤＣモータ７１がさらに同一方向に回転すると、図４に示すように、第１レンズ群４０及び第２レンズ群５０は、繰り出されて望遠端撮影位置に至り、一方、第３レンズ群６０は、ステップモータ８１が適宜回転して、第１レンズ群４０及び第２レンズ群５０の変倍位置に対応する合焦位置に位置付けられる。
尚、広角端撮影位置〜望遠端撮影位置においては、第２レンズ群５０の当接部５１ａは、第３レンズ群６０の前端部６１ａから常時離れた状態にある。
【００２８】
再び沈胴状態（非撮影の状態）に戻る場合は、ＤＣモータ７１が逆回転し、歯車列（７２〜７７）を介して、カム筒３０が逆回転しつつ光軸方向Ｌの後方に向けて沈胴させられる。また、第１レンズ群４０及び第２レンズ群５０は、望遠端撮影位置から逆の経路を辿って広角端撮影位置に至り、さらに沈胴位置へと移動する。尚、第３レンズ群６０も、ステップモータ８１の回転により、広角端撮影位置に対応する位置まで移動させられる。
【００２９】
ここで、第２レンズ群５０が沈胴しつつ広角端撮影位置から沈胴位置まで達する行程で、その当接部５１ａが、第３レンズ群６０の前端部６１ａに当接して後方に向け押し込みつつ、第３レンズ群６０を沈胴位置に位置付ける。
すなわち、この行程においては、ステップモータ８１は駆動されず、ＤＣモータ７１のみの駆動で、第１レンズ群４０、第２レンズ群５０、第３レンズ群６０の全ての沈胴動作が行なわれる。
【００３０】
上記のように、非撮影モードに移行するとき（非撮影時）には、第１駆動機構７０が前方側にあるレンズ光学系（第１レンズ群４０及び第２レンズ群５０）を沈胴させると、この前方側のレンズ光学系（第２レンズ群５０）が後方側にあるレンズ光学系（第３レンズ群６０）を押し込んで沈胴位置に位置付ける。
したがって、沈胴時において装置を薄型化でき、又、後方側のレンズ光学系（第３レンズ群６０）を沈胴させるために専用の第２駆動機構８０を駆動する必要がなく、その分だけ消費電力を低減できる。さらに、後方側のレンズ光学系（第３レンズ群６０）の駆動制御が不要であるため、全体として制御時間を短縮でき、制御シーケンスも簡素化できる。
【００３１】
尚、この実施形態においては、非撮影モードに移行するとき、第３レンズ群６０は、第２駆動機構８０により、広角端撮影位置に対応する合焦位置まで移動させられる場合を示したが、第２駆動機構８０を駆動させることなく、そのときの位置に停止させ、第３レンズ群６０の沈胴動作を第２レンズ群５０の押し込み動作だけで行なわせるようにしてもよい。
【００３２】
図５ないし図７は、本発明に係るレンズ駆動装置の他の実施形態を示すものである。この実施形態は、第１レンズ群４０´、第２レンズ群５０´、第３レンズ群６０´を変更した以外は前述の実施形態と同一であるため、同一の構成については同一の符号を付してその説明を省略する。
【００３３】
第１レンズ群４０´は、図５ないし図７に示すように、レンズＧ１を保持するレンズ枠４１´を有し、このレンズ枠４１´には、後方に突出する当接部４１ａ´が一体的に形成されている。当接部４１ａ´は、第２レンズ群５０´の一部（後述する光量調整ユニット５３´）に当接してこれを押し込むように作用するものである。
【００３４】
第２レンズ群５０´は、図５ないし図７に示すように、レンズＧ２を保持するレンズ枠５１´、レンズ枠５１´の前方側において光軸方向Ｌに可動に支持された光量調整ユニット５３´、レンズ枠５１´と光量調整ユニット５３´との間に圧縮した状態で配置されたバネ５４´等により形成されている。
【００３５】
レンズ枠５１´は、光軸方向Ｌに伸長するガイド５１ｂ´、繰り出し量を規制する規制部５１ｃ´等を備えている。
光量調整ユニット５３´は、露光用開口部を開閉（光量を調整）するシャッタ羽根、シャッタ羽根を開閉駆動するモータ等を備えるシャッタ機構であり、第１レンズ群４０´の当接部４１ａ´が当接する前端部５３ａ´、ガイド５１ｂ´に案内される連結部５３ｂ´、規制部５１ｃ´に規制される掛止片５３ｃ´等を備えている。そして、光量調整ユニット５３´は、レンズ枠５１´に対して、バネ５４´により光軸方向Ｌの前方側に向けて繰り出すように付勢されている。
【００３６】
第３レンズ群６０´は、図５ないし図７に示すように、レンズＧ３を保持するレンズ枠６１´を有し、レンズ枠６１´には、光軸方向Ｌにおいてナット８３を挟むように保持すると共に回転を規制するナット保持部６４´が一体的に形成されている。
【００３７】
次に、上記レンズ駆動装置の動作について、図５ないし図７を参照しつつ説明する。先ず、非撮影時には、図５及び図６に示すように、第１レンズ群４０´及び第２レンズ群５０´（変倍レンズ光学系）と第３レンズ群６０´（合焦レンズ光学系）は、それぞれ沈胴位置に位置付けられている。
このとき、第１レンズ群４０´の当接部４１ａ´は、第２レンズ群５０´の前端部５３ａ´に当接して、光量調整ユニット５３´を後方に押し込んでレンズ枠５１´に接近させた状態に保持している。
【００３８】
撮影時には、ＤＣモータ７１が一方向に回転し、歯車列（７２〜７７）を介して、カム筒３０が一方向に回転しつつ繰り出される。そして、カム筒３０の回転により、カム溝３３，３４がフォロワーピン４２，５２にカム作用を及ぼし、第１レンズ群４０´及び第２レンズ群５０´は、図７に示すように、沈胴位置から前方に繰り出されて、広角端撮影位置、中間撮影位置を経て、望遠端撮影位置に達する。
【００３９】
この繰り出し行程においては、広角端端撮影位置に達した時点で、第１レンズ群４０´の当接部４１ａ´は、第２レンズ群５０´の光量調整ユニット５３´（前端部５３ａ´）から離脱し、光量調整ユニット５３´がバネ５４´の付勢力により前方に復帰して、第２レンズ群５０´は撮影可能な状態に保持されている。一方、第３レンズ群６０´は、ステップモータ８１により適宜駆動されて、第１レンズ群４０´及び第２レンズ群５０´の繰り出し位置に対応した合焦位置に位置付けられる。
【００４０】
再び沈胴状態（非撮影の状態）に戻る場合は、ＤＣモータ７１が逆回転し、歯車列（７２〜７７）を介して、カム筒３０が逆回転しつつ光軸方向Ｌの後方に向けて沈胴させられる。また、第１レンズ群４０´及び第２レンズ群５０´は、望遠端撮影位置から逆の経路を辿って広角端撮影位置に至り、さらに沈胴位置へ移動する。尚、第３レンズ群６０´も、ステップモータ８１の回転により、沈胴位置まで移動する。
【００４１】
ここで、第１レンズ群４０´が沈胴位置に達する行程で、その当接部４１ａ´が、第２レンズ群５０´の前端部５３ａ´に当接して光量調整ユニット５３´を後方に向け押し込み、レンズ枠５１´に接近させる。したがって、第１レンズ群４０´は、その分だけ余分に後方に繰り込まれる。
【００４２】
上記のように、非撮影モードに移行するとき（非撮影時）には、前方側にあるレンズ群（第１レンズ群４０´）が、後方側にあるレンズ群（第２レンズ群５０´）の一部（光量調整ユニット５３´）を後方に押し込む。したがって、沈胴時においては、光量調整ユニット５３´の押し込み分だけ、装置を薄型化できる。
【００４３】
図８ないし図１０は、本発明に係るレンズ駆動装置のさらに他の実施形態を示すものである。この実施形態は、前述二つの実施形態を兼ね備えたものであり、前述実施形態と同一の構成については同一の符号を付してその説明を省略する。
【００４４】
この装置は、図８ないし図１０に示すように、前述の第１レンズ群４０´及び第３レンズ群６０を備えており、第２レンズ群５０´´は、レンズＧ２を保持するレンズ枠５１´´、光量調整ユニット５３´等により形成されている。
レンズ枠５１´´は、第３レンズ群６０の前端部６１ａに当接する当接部５１ａ、ガイド５１ｂ´、規制部５１ｃ´等を備えている。そして、光量調整ユニット５３´は、レンズ枠５１´´に対して、バネ５４´により光軸方向Ｌの前方側に向けて繰り出すように付勢されている。
【００４５】
次に、上記レンズ駆動装置の動作について、図８ないし図１０を参照しつつ説明する。先ず、非撮影時には、図８及び図９に示すように、第１レンズ群４０´及び第２レンズ群５０´´（変倍レンズ光学系）と第３レンズ群６０（合焦レンズ光学系）は、それぞれ沈胴位置に位置付けられている。
このとき、第２レンズ群５０´´の当接部５１ａは、第３レンズ群６０の前端部６１ａに当接して、第３レンズ群６０を光軸方向Ｌの後方に向けて所定量だけ押し込んで沈胴位置に位置付けている。また、第１レンズ群４０´の当接部４１ａ´は、第２レンズ群５０´´の前端部５３ａ´に当接して、光量調整ユニット５３´を後方に押し込んでレンズ枠５１´´に接近させた状態に保持している。
【００４６】
撮影時には、ＤＣモータ７１が一方向に回転し、前述同様に、第１レンズ群４０´及び第２レンズ群５０´´は、沈胴位置から前方に繰り出されて広角端撮影位置に達し、第３レンズ群６０は、当接部５１ａが前方へ移動するのに伴なって、バネ８４の付勢力により前方に繰り出されて、広角端撮影位置に対応する合焦位置に達する。そして、この広角端撮影位置において、第２レンズ群５０´´の当接部５１ａが第３レンズ群６０の前端部６１ａから離脱すると共に、第１レンズ群４０´の当接部４１ａ´が第２レンズ群５０´´の前端部５３ａ´から離脱し、光量調整ユニット５３´は前方に復帰する。
【００４７】
そして、この広角端撮影位置から、ＤＣモータ７１がさらに同一方向に回転すると、図１０に示すように、第１レンズ群４０´及び第２レンズ群５０´´は、繰り出されて望遠端撮影位置に至り、一方、第３レンズ群６０は、ステップモータ８１が適宜回転して、第１レンズ群４０´及び第２レンズ群５０´´の変倍位置に対応する合焦位置に位置付けられる。
【００４８】
再び沈胴状態（非撮影の状態）に戻る場合は、ＤＣモータ７１が逆回転し、前述同様に、第１レンズ群４０´及び第２レンズ群５０´´は、望遠端撮影位置から逆の経路を辿って広角端撮影位置に至り、さらに沈胴位置へと移動する。
このとき、第１レンズ群４０´の当接部４１ａ´が第２レンズ群５０´´の前端部５３ａ´に当接して光量調整ユニット５３´を後方に押し込み、レンズ枠５１´´に接近させる。また、第２レンズ群５０´´の当接部５１ａが第３レンズ群６０の前端部６１ａに当接して、第３レンズ群６０を沈胴位置まで押し込む。
【００４９】
したがって、沈胴時においては、光量調整ユニット５３´及び第３レンズ群６０の押し込み分だけ装置を薄型化でき、又、第２駆動機構８０（ステップモータ８１）を駆動することなく第３レンズ群６０を沈胴させるため、消費電力を低減でき、全体としての制御時間を短縮でき、制御シーケンスも簡素化できる。
【００５０】
上記実施形態においては、複数のレンズ光学系として、変倍レンズ光学系（第１レンズ群４０，４０´及び第２レンズ群５０，５０´，５０´´）と合焦レンズ光学系（第３レンズ群６０，６０´）を示したが、これに限定されるものではなく、それ以外のレンズ光学系を含む構成において、本発明の構成を採用してもよい。
【００５１】
また、上記実施形態においては、複数のレンズ群として、第１レンズ群４０，４０´、第２レンズ群５０，５０´，５０´´、及び第３レンズ群６０，６０´からなる３つのレンズ群を備える構成において，本発明の構成を採用したが、これ以外のレンズ群からなる構成において、本発明の構成を採用してもよい。
【図面の簡単な説明】
【００５２】
【図１】本発明に係るレンズ駆動装置の一実施形態を示す正面図である。
【図２】本発明に係るレンズ駆動装置の一実施形態を示す沈胴状態の縦断面図である。
【図３】本発明に係るレンズ駆動装置の一実施形態を示す沈胴状態の縦断面図である。
【図４】本発明に係るレンズ駆動装置の一実施形態を示す繰り出し状態の縦断面図である。
【図５】本発明に係るレンズ駆動装置の他の実施形態を示す沈胴状態の縦断面図である。
【図６】本発明に係るレンズ駆動装置の他の実施形態を示す沈胴状態の縦断面図である。
【図７】本発明に係るレンズ駆動装置の他の実施形態を示す繰り出し状態の縦断面図である。
【図８】本発明に係るレンズ駆動装置のさらに他の実施形態を示す沈胴状態の縦断面図である。
【図９】本発明に係るレンズ駆動装置のさらに他の実施形態を示す沈胴状態の縦断面図である。
【図１０】本発明に係るレンズ駆動装置のさらに他の実施形態を示す繰り出し状態の縦断面図である。
【符号の説明】
【００５３】
１０  ベース
１２  ＣＣＤ
２０  固定筒
３０  カム筒（駆動機構）
４０，４０´  第１レンズ群（変倍レンズ光学系）
４１，４１´  レンズ枠
４１ａ´  当接部
５０，５０´，５０´´  第２レンズ群（変倍レンズ光学系）
５１，５１´，５１´´  レンズ枠
５１ａ  当接部
５１ｂ´  ガイド
５１ｃ´  規制部
５３  光量調整ユニット
５３´  光量調整ユニット（後方側のレンズ群の一部）
５３ａ´  前端部
５３ｂ´  連結部
５３ｃ´  掛止片
５４´  バネ
６０，６０´  第３レンズ群（合焦レンズ光学系）
６１，６１´  レンズ枠
６１ａ  前端部
６２，６３  連結部
６４  ナット受け部
６４´  ナット保持部
７０  第１駆動機構
７１  ＤＣモータ
７２，７４  ウォームギヤ
７３，７５  ウォームホイール
７６，７７  平歯車
８０  第２駆動機構
８１  ステップモータ
８２  リードスクリュー
８３  ナット
８４  バネ
【図１】
2005043730.tif 000003
【図２】
2005043730.tif 000004
【図３】
2005043730.tif 000005
【図４】
2005043730.tif 000006
【図５】
2005043730.tif 000007
【図６】
2005043730.tif 000008
【図７】
2005043730.tif 000009
【図８】
2005043730.tif 000010
【図９】
2005043730.tif 000011
【図１０】
2005043730.tif 000012